(57)【特許請求の範囲】
【請求項１】
ガス発生源から発生するガスにより、車両の後席に着座した乗員と車両のボディサイド部との間に展開されるエアバッグを備えたサイドエアバッグ装置であって、
前記エアバッグは、展開完了状態で車両前方側から見た場合において、乗員の肩部、胸腹部及び腰部とそれぞれ対応する部分の左右幅寸法の最大値の関係が、肩部と対応する部分の最大値＞胸腹部と対応する部分の最大値＞腰部と対応する部分の最大値となるように形成され、
前記関係は、前記各部分の左右幅寸法を規制するために、それぞれ上下方向に延びるように複数配置されたテザーにより設定されたものであり、
前記テザーは台形状に形成され、２つの斜めの辺が前記エアバッグを形成する左右一対の基布に逢着されることを特徴とするサイドエアバッグ装置。
【請求項２】
前記胸腹部と対応する部分は、胸部と対応する部分及び腹部と対応する部分からなり、各部分の前記左右幅寸法の最大値の関係が、胸部と対応する部分の最大値＞腹部と対応する部分の最大値となるように形成されている請求項１に記載の車両のサイドエアバッグ装置。
【発明の詳細な説明】
【技術分野】
【０００１】
本発明は、サイドエアバッグ装置に係り、詳しくは車両の後席に着座した乗員と車両のボディサイド部との間に展開されて、乗員を車両における側面衝突（側突）から保護するエアバッグを備えたサイドエアバッグ装置に関する。
【背景技術】
【０００２】
車両における側面衝突の際に、車両のシートに着座した乗員を保護するためにサイドエアバッグ装置が使用されている。この種のエアバッグ装置のエアバッグは、折り畳まれた状態でシートにおける背もたれ部の側部の内部に配設されている。そして、エアバッグは、車両のボディサイド部に所定以上の衝撃が加えられたとき、シートに着座した乗員とボディサイド部との間に膨張しつつ展開するようになっている。これにより、乗員の腰部、腹部、胸部及び肩部と車両のボディサイド部との間が、展開されたエアバッグにより隔てられ、ボディサイド部に乗員が直接衝突することなく、衝撃がエアバッグにより弱められて乗員に作用するようになっている。
【０００３】
従来、サイドエアバッグ装置においては、主に前席用のエアバッグ装置を対象として種々改良がなされており、そのエアバッグ装置を後席にも適用するようにしていた。後席用に適した自動車の側突用エアバッグ装置として、シートバック全体の前後サイズを小さくでき、かつ補強布を短くすることができる側突用エアバッグ装置が提案されている（特許文献１参照）。この側突用エアバッグ装置は、シートバックフレームの前面にエアバッグモジュールが固定され、かつシートバックフレームの車外側面に、前端が表皮カバーの開裂部に取り付けられた補強布の後端を固定するバーが取り付けられている。
【特許文献１】特開平１１−９１４８７号公報
【発明の開示】
【発明が解決しようとする課題】
【０００４】
特許文献１のサイドエアバッグ装置では、前記の構成によりシートバッグ全体の前後サイズを小さくでき、補強布も短くなる。しかし、このエアバッグ装置も後席特有の課題を解決するためのものではない。本願発明者は、車両の前席と後席とでは、対応する車両のボディサイド部が異なることにより、側突の際におけるボディサイド部の変形状態が異なることに着目して本発明を完成した。
【０００５】
本発明は、前記従来の問題に鑑みてなされたものであって、その目的は、側面衝突の際、後席に着座した乗員に対してより適切な衝撃抑制を行うことができるサイドエアバッグ装置を提供することにある。
【課題を解決するための手段】
【０００６】
前記の目的を達成するため、請求項１に記載の発明は、ガス発生源から発生するガスにより、車両の後席に着座した乗員と車両のボディサイド部との間に展開されるエアバッグを備えたサイドエアバッグ装置であって、前記エアバッグは、展開完了状態で車両前方側から見た場合において、乗員の肩部、胸腹部及び腰部とそれぞれ対応する部分の左右幅寸法の最大値の関係が、肩部と対応する部分の最大値＞胸腹部と対応する部分の最大値＞腰部と対応する部分の最大値となるように形成され、前記関係は、前記各部分の左右幅寸法を規制するために、それぞれ上下方向に延びるように複数配置されたテザーにより設定されたものであり、前記テザーは台形状に形成され、２つの斜めの辺が前記エアバッグを形成する左右一対の基布に逢着されるものである。
【０００７】
ここで、「後席」とは、前輪及び後輪を有する車両において、前席（フロントシート）より後方に配置される席（シート）であって、車両の外側から見た際に、シートバッグの一部が後輪の上方に位置するように配置された席を意味する。また、「車両のボディサイド部」とは、車両のサイドドアやピラー等を意味する。
【０００８】
前席と対応する車両のボディサイド部は、フロントドアとセンターピラー（Ｂピラー）であり、車両の側突の際、フロントドアとセンターピラーはベルトライン部の車室側への変形量（侵入量）が多くなる。一方、後席と対応する車両のボディサイド部は、リアドアの後部、Ｃピラー及びタイヤハウスの前部等であり、車両の側突の際、ボディサイド部の車室側への変形量が全体として少なくなるとともに、肩部に対応する部分の変形量が、腰部と対応する部分の変形量より少なくなる。また、胸腹部と対応する部分の変形量は両者の中間となる。
【０００９】
この発明のエアバッグは、シートに着座している乗員と車両のボディサイド部との間で展開が完了した状態において、ボディサイド部の変形量が多い腰部と対応する部分の幅が小さく、ボディサイド部の変形量が少ない肩部と対応する部分の幅が大きく、その中間の変形量となる胸腹部と対応する部分の幅が両者の中間になる。そのため、車両の側突の際に、エアバッグを介して乗員に衝撃が伝わる際、乗員の側部にほぼ均等にエアバッグから衝撃力が作用する状態となる。従って、前席用のエアバッグと同様な構成のエアバッグを使用する場合に比較して、乗員に対する衝撃が適正に抑制される。
また、各部分の左右幅寸法を規制するためにテザーが設けられているこの発明では、エアバッグの左右幅寸法を規制する方法としてエアバッグの一部を糸で縫い合わせてシーム部（縫合部）を形成する方法に比較して、エアバッグの展開完了状態においてくびれの小さい状態で所望の寸法に規制することができる。
さらに、テザーが、それぞれ上下方向に延びるように複数配置されているこの発明では、エアバッグの左右幅寸法の関係を、肩部と対応する部分＞胸腹部と対応する部分＞腰部と対応する部分となるように、かつ各部分の境界部にくびれが存在しないように形成することが容易になる。
【００１０】
請求項２に記載の発明は、請求項１に記載の発明において、前記胸腹部と対応する部分は、胸部と対応する部分及び腹部と対応する部分からなり、各部分の前記左右幅寸法の最大値の関係が、胸部と対応する部分の最大値＞腹部と対応する部分の最大値となるように形成されている。即ち、胸部と対応する部分の最大値が腹部と対応する部分の最大値より大きくなるように形成されている。この発明では、側突の条件が同じであれば、請求項１に記載の発明に比較して腹部及び胸部に、より適正に衝撃が抑制される状態となる。
【発明の効果】
【００１４】
本発明によれば、側面衝突の際、後席に着座した乗員に対して従来技術より適切な衝撃抑制を行うことができる。
【発明を実施するための最良の形態】
【００１５】
以下、本発明を具体化したサイドエアバッグ装置の一実施形態を図１〜図３に基づいて説明する。なお、以下の記載において、方向を説明する際には、車両の前進方向を前方と記載し、それを基準に上、下、前、後、左、右を規定し、エアバッグの場合には、展開時のエアバッグを基準に、車両の前記各方向に沿うものとする。
【００１６】
図２に示すように、車両１０には、前席１１及び後席１２が設けられている。前席１１の背もたれ部（シートバック）１１ａは、フロントドア１３の後部寄りに位置するように配置されている。後席１２の背もたれ部１２ａは、ボディサイド部を構成するリアドア１４の後部及びリアクォータ１５に跨るように配置されている。
【００１７】
図１（ａ）は、左側の後席１２のサイドエアバッグ装置１６が作動して、エアバッグ１７の展開が完了した状態の模式側面図である。サイドエアバッグ装置１６は、背もたれ部１２ａのボディサイド部側に設けられ、ガス発生源としてのインフレータ１８と、折り畳み状態のエアバッグ１７とがケース（図示略）内に収容された状態で埋設されている。サイドエアバッグ装置１６は、右側の後席にも装備され、前席１１には前席用の公知のエアバッグ装置が装備されている。以下、左側の後席１２のサイドエアバッグ装置１６について説明する。
【００１８】
インフレータ１８は、背もたれ部１２ａに沿って延びる長尺状に形成されている。インフレータ１８の内部には、エアバッグ１７を展開及び膨張（以下、単に展開と言う。）させるためのガス発生剤が収容されている。インフレータ１８には、ガス発生剤から発生するガスを噴射させるための吹出し口１８ａ〜１８ｄが形成されている。インフレータ１８には、車両のボディサイド部に対する衝撃を検出するための図示しない衝撃センサが電気的に接続されている。そして、車両のボディサイド部に所定値以上の衝撃が加わると、前記センサからの検出信号に基づいてインフレータ１８内のガス発生剤からガスが発生され、このガスが吹出し口１８ａ〜１８ｄからエアバッグ１７内に噴射されてエアバッグ１７が車両の前方に向かって展開されるようになっている。
【００１９】
エアバッグ１７は、織布等からなる一対の基布２０を、それらの周縁において縫着することにより、全体として袋状をなすように形成されている。エアバッグ１７は、インフレータ１８をエアバッグ１７の後端部に位置する状態で被覆する。図１（ｂ）に示すように、エアバッグ１７は、展開完了状態で車両前方側から見た場合において、乗員Ｐの肩部、胸部、腹部及び腰部とそれぞれ対応する部分Ｋ，Ｍ，Ｈ，Ｙの左右幅寸法の最大値Ｋｗ，Ｍｗ，Ｈｗ，Ｙｗが、Ｋｗ＞Ｍｗ＞Ｈｗ＞Ｙｗとなるように形成されている。即ち、肩部と対応する部分Ｋの最大値Ｋｗが胸部と対応する部分Ｍの最大値Ｍｗより大きく、胸部と対応する部分Ｍの最大値Ｍｗが腹部と対応する部分Ｈの最大値Ｈｗより大きく、かつ、腹部と対応する部分Ｈの最大値Ｈｗが腰部と対応する部分Ｙの最大値Ｙｗより大きくなるように形成されている。
【００２０】
各部分Ｋ，Ｍ，Ｈ，Ｙの左右幅寸法を規制するために、左右の基布２０間に３枚のテザー２１ａ，２１ｂ，２１ｃが縫着されている。各テザー２１ａ〜２１ｃは矩形状に形成され、各テザー２１ａ〜２１ｃの幅方向（図１（ｂ）における左右方向）の両側部は、その全長に亘って、エアバッグ１７の両基布２０の内面にそれぞれ接合されている。各テザー２１ａ〜２１ｃは、その幅方向の長さが、テザー２１ａ＞テザー２１ｂ＞テザー２１ｃとなるように形成されている。各テザー２１ａ〜２１ｃは、エアバッグ１７の展開完了状態において各部分Ｋ，Ｍ，Ｈ，Ｙの境界と対応する位置において互いに平行に前後方向に延びるように、より正確にはエアバッグ１７の背もたれ部１２ａに対する取付けラインＬに対してほぼ直交する方向に延びるように基布２０に縫着されている。なお、図では縫着用の糸の図示を省略している。
【００２１】
展開完了状態のエアバッグ１７において、部分Ｋの後端部にはインフレータ１８の第１吹出し口１８ａが配置され、部分Ｍの後端部にはインフレータ１８の第２吹出し口１８ｂが配置され、部分Ｈの後端部にはインフレータ１８の第３吹出し口１８ｃが配置され、部分Ｙの後端部にはインフレータ１８の第４吹出し口１８ｄが配置される。インフレータ１８は、各吹出し口１８ａ〜１８ｄから対応する各部分Ｋ，Ｍ，Ｈ，Ｙにガスを噴射する。エアバッグ１７は、インフレータ１８から発生するガスによって、前記ケース内での折り畳み状態から車両の前方に向かって展開されるようになっている。
【００２２】
車種によって適正値は異なるが、ある車種（例えば小型乗用車）におけるＡＭ５０ダミーを用いた評価では、部分Ｋの最大値Ｋｗは１５０〜２５０ｍｍ、部分Ｙの最大値Ｙｗは３０〜１００ｍｍが好ましかった。
【００２３】
また、部分Ｙには、車両のボディサイド部に向かってエアバッグ１７内のガスを排出するベントホール１９が形成されている。
次に前記のように構成されたサイドエアバッグ装置１６の作用を説明する。
【００２４】
車両が所定値以上の衝撃を受けると、衝撃センサが検知信号を発生し、その検知信号に基づいてインフレータ１８がガスを発生する。インフレータ１８から発生したガスは、エアバッグ１７の各部分Ｋ，Ｍ，Ｈ，Ｙに噴射されてエアバッグ１７を展開させる。
【００２５】
図３に鎖線で示すように、後席１２と対応する部分のボティサイド部であるドアトリム１４ａは、下部側の変形量即ち車室内への侵入量が大きくなるように、変形する。従来技術のエアバッグのように腰部に対応する部分の左右幅寸法の最大値が、肩部と対応する部分の左右幅寸法の最大値以上の場合、腰部に対応する部分から乗員Ｐに作用する圧力が最大となり、胸部と腰部の移動量が相対的に大きくなって背骨の下部に無理な力が作用し易くなる。
【００２６】
しかし、図３に示すように、実施形態のエアバッグ１７は、展開完了状態において、乗員Ｐの肩部、胸部、腹部及び腰部とそれぞれ対応する部分Ｋ，Ｍ，Ｈ，Ｙの左右幅寸法の最大値Ｋｗ，Ｍｗ，Ｈｗ，Ｙｗの関係が、Ｋｗ＞Ｍｗ＞Ｈｗ＞Ｙｗとなる。そのため、側突の際に、変形したドアトリム１４ａと乗員Ｐとがエアバッグ１７を挟んで互いに接近して乗員Ｐに衝撃が作用する際、エアバッグ１７の乗員Ｐに対する接触部における押圧力が、乗員Ｐの肩部、胸部、腹部及び腰部とそれぞれ対応する部分Ｋ，Ｍ，Ｈ，Ｙにおいてほぼ等しくなる。その結果、乗員Ｐは、正面から見た状態において背骨（スパイン）が真っ直ぐに延びた状態で後席１２に対して車幅方向に相対移動し、背骨の下部に無理な力が作用するのが防止される。
【００２７】
この実施形態では以下の効果を有する。
（１）エアバッグ１７は、展開完了状態で車両前方側から見た場合において、乗員Ｐの肩部、胸部、腹部及び腰部とそれぞれ対応する部分Ｋ，Ｍ，Ｈ，Ｙの左右幅寸法の最大値Ｋｗ，Ｍｗ，Ｈｗ，Ｙｗの関係が、Ｋｗ＞Ｍｗ＞Ｈｗ＞Ｙｗとなるように形成されている。従って、車両１０の側突の際に、エアバッグ１７を介して乗員Ｐに衝撃が伝わる際、乗員Ｐの側部にほぼ均等にエアバッグ１７から衝撃力が作用する状態となる。従って、前席用のエアバッグと同様な構成、即ち腰部と対応する部分の左右幅寸法の最大値が他の部分の左右幅寸法以上のエアバッグを使用する場合に比較して、乗員Ｐに対する衝撃が適正に抑制される。
【００２８】
（２）胸部と対応する部分Ｍと、腹部と対応する部分Ｈとが区画されるとともに、各部分Ｍ，Ｈの左右幅寸法の最大値Ｍｗ，Ｈｗの関係が、Ｍｗ＞Ｈｗとなるように設定されている。即ち、胸部と対応する部分Ｍの最大値Ｍｗが腹部と対応する部分Ｈの最大値Ｈｗより大きくなるように形成されている。この発明では、条件が同じであれば、胸部と対応する部分と、腹部と対応する部分とが区画されずに一つのチャンバーに形成された場合に比較して、乗員Ｐの腹部及び胸部に、より適正に衝撃が抑制される状態となる。
【００２９】
（３）各部分Ｋ，Ｍ，Ｈ，Ｙの左右幅寸法を規制するためにテザー２１ａ，２１ｂ，２１ｃが設けられている。従って、エアバッグ１７の左右幅寸法を規制する方法としてエアバッグ１７の一部を糸で縫い合わせてシーム部（縫合部）を形成する方法に比較して、エアバッグ１７の展開完了状態においてくびれの小さい状態で所望の寸法に規制することができる。
【００３０】
（４）各テザー２１ａ，２１ｂ，２１ｃは、前後方向に延びるように、即ちエアバッグ１７の背もたれ部１２ａに対する取付けラインＬに対してほぼ直交する方向に延びるように複数配置されている。従って、テザー２１ａ，２１ｂ，２１ｃの合計面積が、テザーを上下方向に延びるように配置する場合に比較して小さくなり、エアバッグをコンパクトに畳むのが容易になる。
【００３１】
（５）エアバッグ１７には腰部と対応する部分Ｙにベントホール１９が設けられているため、側突の際にドアトリム１４ａの変形により部分Ｙに大きな力が加わろうとしても、部分Ｙ内の気体の一部が抜けることにより、適度なクッション作用が働き、乗員Ｐに大きな衝撃が加わるのが抑制される。
【００３２】
（６）テザー２１ａ，２１ｂ，２１ｃで区画された各部分Ｋ，Ｍ，Ｈ，Ｙと対応する位置におけるエアバッグ１７の後端部には、インフレータ１８の各吹出し口１８ａ，１８ｂ，１８ｃ，１８ｄが設けられている。従って、吹出し口の数が部分Ｋ，Ｍ，Ｈ，Ｙの数より少ない場合に比較して、エアバッグ１７が所定の形状に迅速に展開される。
【００３３】
（７）各部分Ｋ，Ｍ，Ｈ，Ｙは完全に独立したチャンバーではなく、相互間で気体の行き来が可能に構成されているため、エアバッグ１７が乗員Ｐに作用する際、乗員Ｐに接触する部分における圧力が均等になり易い。
【００３４】
（８）サイドエアバッグ装置１６は、後席１２の背もたれ部１２ａに装備されている。従って、後席１２がリクライニング機構を備えた構成であっても、背もたれ部１２ａの角度に限らず、展開完了状態においてエアバッグ１７を適正な位置に配置するのが容易になる。
【００３５】
（変更例）
なお、実施形態は、次のように具体化することも可能である。
・  各部分Ｋ，Ｍ，Ｈ，Ｙの左右幅寸法を規制するため、図４（ａ），（ｂ），（ｃ）に示すように、複数枚のテザー２２ａ，２２ｂ，２２ｃを上下方向に延びるように、正確にはエアバッグ１７の背もたれ部１２ａに対する取付けラインＬに対してほぼ平行に延びるように配置してもよい。この場合、各テザー２２ａ，２２ｂ，２２ｃは台形状に形成され、２つの斜めの辺が一対の基布２０に縫着される。そのため、エアバッグ１７の展開完了状態において、見かけ上、各部分Ｋ，Ｍ，Ｈ，Ｙの境界は存在せず、エアバッグ１７は各テザー２２ａ〜２２ｃにより前後方向において複数の領域に区画される。従って、この構成では、エアバッグ１７の展開完了状態において、エアバッグ１７の左右幅寸法の関係を、肩部と対応する部分＞胸部と対応する部分＞腹部と対応する部分＞腰部と対応する部分となるように、かつ各部分の境界部にくびれが存在しないように形成するのが容易になる。その結果、側突の際にエアバッグ１７が乗員Ｐに接触する場合、各部分Ｋ，Ｍ，Ｈ，Ｙが全体的に均等な圧力で作用する状態となり、より適切な衝撃抑制が可能になる。なお、図４（ｃ）においては、基布２０が縫着された部分の線の一部を省略している。
【００３６】
・  図５（ａ）に示すように、展開完了状態において、エアバッグ１７が２枚のテザー２１ａ及びテザー２１ｃにより、肩部と対応する部分Ｋと、胸腹部と対応する部分ＭＨと、腰部と対応する部分Ｙとに区画される構成にする。そして、各部分Ｋ，ＭＨ，Ｙの左右幅寸法における最大値の関係を、Ｋｗ＞ＭＨｗ＞Ｙｗとなるように、即ち、肩部と対応する部分Ｋの最大値Ｋｗが胸腹部と対応する部分ＭＨの最大値ＭＨｗより大きく、かつ、胸腹部と対応する部分ＭＨの最大値ＭＨｗが腰部と対応する部分Ｙの最大値Ｙｗより大きくなるように形成してもよい。この場合も、側面衝突の際、従来技術のエアバッグに比較して、後席に着座した乗員Ｐに対してより適切な衝撃抑制を行うことができる。
【００３７】
・  エアバッグ１７の展開完了状態において、肩部と対応する部分Ｋ、胸腹部と対応する部分ＭＨ、腰部と対応する部分Ｙの左右幅寸法の最大値の関係を所定の値に規制する方法としてテザーを用いる代わりに、図５（ｂ）に示すように、対向する基布２０間をシーム２３にて縫着するようにしてもよい。この場合も各部分Ｋ，ＭＨ，Ｙの左右幅寸法の最大値の関係を、Ｋｗ＞ＭＨｗ＞Ｙｗとなるようにすることができる。この場合、テザーを用いるより構成が簡単になる。
【００３８】
・  胸腹部と対応する部分ＭＨが、胸部と対応する部分Ｍと、腹部と対応する部分Ｈとに区画された構成においても、対向する基布２０間をシーム２３にて縫着してもよい。
・  側突の際に、エアバッグ１７の部分Ｙと対応する箇所に適度なクッション作用を持たせる構成として、基布２０の部分Ｙと対応する箇所にベントホール１９を設ける代わりに、ドアトリム１４ａの部分Ｙと対応する箇所に衝撃吸収部材を設けてもよい。衝撃吸収部材としては、例えば、熱可塑性エラストマーのような軟質樹脂、発泡ウレタンのような発泡樹脂が用いられる。
【００３９】
・  インフレータ１８に、テザー２１ａ，２１ｂ，２１ｃ等で区画された各部分Ｋ，Ｍ，Ｈ，Ｙ等に対応してそれぞれ第１吹出し口１８ａ、第２吹出し口１８ｂ、第３吹出し口１８ｃ、第４吹出し口１８ｄを設けずに、吹出し口の数をテザー２１ａ，２１ｂ，２１ｃ等で区画された各部分Ｋ，Ｙ等の数より少なくしてもよい。例えば、吹出し口を１個にしてもよい。
【００４０】
・  エアバッグ１７を乗員Ｐの肩部、胸部、腹部及び腰部とそれぞれ対応する部分Ｋ，Ｍ，Ｈ，Ｙに、あるいは乗員Ｐの肩部、胸腹部及び腰部とそれぞれ対応する部分Ｋ，ＭＨ，Ｙに区画する際、各部をそれぞれ完全に独立したチャンバーとなるように区画してもよい。例えば、エアバッグ１７を構成する左右の基布２０間を溶着又は接着する。この場合、エアバッグ１７にガスを供給するインフレータ１８を複数設けてもよい。また、例えば、図４（ｃ）に鎖線で示すように、テザーの中央部分に孔２４を開けて相互にチャンバーを連通状態にしてもよい。前記各部分Ｋ，Ｍ，Ｈ，Ｙあるいは各部分Ｋ，ＭＨ，Ｙが完全に独立したチャンバーに区画されていない前記各実施形態においても、各テザー２１ａ，２１ｂ，２１ｃ，２２ａ，２２ｂ，２２ｃに孔２４を設けてもよい。孔２４は複数であってもよい。
【００４１】
・  エアバッグ１７が完全に独立した複数のチャンバーに区画されていない構成において、インフレータ１８を複数設けてもよい。
・  エアバッグ１７の展開完了状態における形状は、前後方向の長さが肩部と対応する部分Ｋが長く、腰部と対応する部分Ｙが最も短くなる形状に限らない。例えば、車両１０の側方から見た形状がほぼ矩形状となるように形成してもよい。
【００４２】
・  サイドエアバッグ装置１６は、後席１２の背もたれ部１２ａに設けられる構成に限らず、車両１０のボディサイド側に設けてもよい。
前記実施形態より把握できる技術的思想について以下に記載する。
【００４３】
・  請求項１〜請求項５のいずれか一項に記載のサイドエアバッグ装置において、前記サイドエアバッグ装置は後席の背もたれ部に装備されている。
・  請求項３〜請求項５のいずれか一項に記載のサイドエアバッグ装置において、前記エアバッグにガスを供給するガス発生源は、前記テザーで区画された各部分に対応してガスを吹出すための吹出し口を備える。
【図面の簡単な説明】
【００４４】
【図１】（ａ）は乗員がシートに着座したときのエアバッグの展開完了状態を模式的に示す側面図、（ｂ）は（ａ）の１ｂ−１ｂ線におけるエアバッグの端面図。
【図２】車両の前席及び後席の配置を示す模式側面図。
【図３】エアバッグの作用を示す模式背面図。
【図４】変更例のエアバッグの展開完了状態における模式図で、（ａ）は（ｂ）の４ａ−４ａ線における端面図、（ｂ）は（ａ）の４ｂ−４ｂ線における端面図、（ｃ）は（ｂ）の４ｃ−４ｃ線における断面図。
【図５】（ａ），（ｂ）はそれぞれ別の変更例の図１（ｂ）に対応するエアバッグの端面図。
【符号の説明】
【００４５】
Ｋ，Ｍ，Ｈ，Ｙ，ＭＨ…部分、Ｈｗ，Ｋｗ，Ｍｗ，Ｙｗ，ＭＨｗ…最大値、Ｐ…乗員、１０…車両、１２…後席、１４ａ…ボディサイド部としてのドアトリム、１６…サイドエアバッグ装置、１７…エアバッグ、１８…ガス発生源としてのインフレータ、２１ａ，２１ｂ，２１ｃ，２２ａ，２２ｂ，２２ｃ…テザー。
【図１】
0004556817.tif 000002
【図２】
0004556817.tif 000003
【図３】
0004556817.tif 000004
【図４】
0004556817.tif 000005
【図５】
0004556817.tif 000006